(57)【特許請求の範囲】
【請求項１】
鍋本体の開口周縁に設けたフランジに左右一対の取っ手を取り付けてなる炊飯器の鍋において、上記取っ手に上記フランジの外周端面をカバーする端面カバー部と、上記フランジとの間に所要の隙間をおいてその下方に設けられた指掛け部とを設け、上記フランジの外周縁に設けた左右一対の一定幅の切欠きに上記端面カバー部を嵌合し、上記取っ手の上記の鍋本体又はフランジに対する固定手段が、上記一対の取っ手の両端部相互間を上記鍋本体の外周面に沿う連結部により全体として１つのリングを形成するように連結した構成と、該リングを加熱嵌め後の冷却により収縮させて上記の鍋本体の外周面に嵌着する手段とからなることを特徴とする炊飯器の鍋。
【請求項２】
上記指掛け部が、上記端面カバー部の下端に連続した内向きの水平指掛け面と、その水平指掛け面の内端に下向きに設けた指保護面からなることを特徴とする請求項１に記載の炊飯器の鍋。
【発明の詳細な説明】
【０００１】
【産業上の利用分野】
この発明は、炊飯ジャーを含む炊飯器一般の鍋に関し、特にその取っ手に関するものである。
【０００２】
【従来の技術】
図６に示すように、従来から炊飯器の鍋本体３１のフランジ３２に左右一対の取っ手３３，３３が取付けられる。この取っ手３３は耐熱性樹脂により形成され、フランジ３２の下面に沿った取付け部３４，その取付け部３４の外端からフランジ３２の外側方に突き出した把持部３５，及び把持部３５の内側縁で立ち上がりフランジ３２の外周縁を挟持する挟持部３６等からなり、その取付け部３４の下方からフランジ３２に向けて螺入した一対のビス３７によりフランジ３２に固定される。
【０００３】
【発明が解決しようとする課題】
上記のように、従来の鍋本体３１の取っ手３３は、鍋本体３１からの熱伝導による温度上昇を緩和するために、把持部３５を外側方に突き出した構成としている。しかし、このために、炊飯器本体にこの把持部３５を受け入れる部分を広くとる必要があり、炊飯器本体の小型化に支障を来す一つの原因となっていた。
【０００４】
また、その取っ手３３をフランジ３２に螺入したビス３７により固定していたので、フランジ３２はそのビス３７を螺入するための幅を確保する必要があり、鍋の小型化、ひいては炊飯器本体の小型化を妨げるもう一つの原因となっていた。
【０００５】
そこで、この発明は取っ手の幅を縮小し、またその取付け構造を工夫することにより、炊飯器本体の小型化を図ることを課題とする。
【０００６】
【課題を解決するための手段及びその作用】
上記の課題を解決するために、この発明は鍋本体の開口周縁に設けたフランジに左右一対の取っ手を取り付けてなる炊飯器の鍋において、上記取っ手に上記フランジの外周端面をカバーする端面カバー部と、上記フランジとの間に所要の隙間をおいてその下方に設けられた指掛け部とを設け、上記取っ手を上記の鍋本体又はフランジに適宜な固定手段により取り付けた構成を採用した。
【０００７】
上記の構成によると、フランジとその下方に設けられた指掛け部との間の隙間が、指掛け部に対する断熱作用をなすので、その指掛け部を外側方に突き出して設ける必要がない。そのために、取っ手の幅が縮小しその全体又はその大部分をフランジの幅内に収めることができる。
【０００８】
上記フランジの外周縁に一定幅の切欠きを設け、その切欠きに上記端面カバー部を嵌合した構成を採用すると、端面カバー部の全体又はその一部をフランジの幅内に収めることができる。
【０００９】
なお、上記指掛け部が、上記端面カバー部の下端に連続した内向きの水平指掛け面と、その水平指掛け面の内端に下向きに設けた指保護面からなる構成をとることができる。その水平指掛け面の上面とフランジの下面との間に前記の断熱作用をなす隙間が形成される。
【００１０】
上記取っ手の固定手段としては、以下のような構成がある。その１は、一対の取っ手の両端部相互間を鍋本体の外周面に沿う連結部材により全体として１つのリングを形成するように連結した構成と、該リングを加熱嵌め後の冷却により収縮させて上記鍋本体の外周面に強制嵌合する手段とからなる構成である。
【００１１】
その２は、鍋本体の外周面に固定された取付け金具と、上記取っ手を該取付け金具にねじ止めする手段からなる構成である。
【００１２】
その３は、上記取っ手の指掛け部の上面に磁石を固定し、その磁石を上記フランジの下面に吸着させる手段からなる構成である。
【００１３】
上記いずれの固定手段も、鍋のフランジにビス止めする構成を採用しておらず、したがってフランジの幅を必要最小限に形成することができる。
【００１４】
【発明の実施の形態】
以下、この発明の実施形態を図１から図５に基づいて説明する。図１に示した第１実施形態は、左右一対の取っ手１、１の各両端部をそれぞれ半環状の連結部２、２により連結一体化して、耐熱性樹脂（例えば、フェノール樹脂、ポリアミド等）によりリング状に一体成形したものであり、鍋本体３の外周面のフランジ４の直下に外嵌固定される。フランジ４の外方への突き出し幅をａで示す（図２（ｃ）（ｄ）参照）。
【００１５】
上記の各取っ手１は、外端上縁に上方に突き出した端面カバー部５を有し、その下方の取っ手１の中央部において、その前面から内方に凹入した指掛け部６が設けられる。この指掛け部６は逆Ｌ字形の断面形状を有する（図２（ｃ）参照）。上記の端面カバー部５は鍋本体３フランジ４の外周縁に設けられた一定幅ｂ１，一定長さｃの切欠き７に嵌合され（図２（ａ）参照）、該フランジ４の端面をカバーする。図示の場合、端面カバー部５は切欠き部７の幅ｂ１内に完全に収まるように示しているが、若干外方へ突き出しても差し支えない。
【００１６】
上記の指掛け部６は、端面カバー部５の下端に連続した内向きの水平指掛け面８と、その水平指掛け面８の内端に下向きに設けられた指保護面９とからなる。また、その指掛け面８の下面の外端、即ち、前記端面カバー部５と上下反対面に滑り止め用のリブ１１が形成される。
【００１７】
前記の半環状の連結部２は、逆Ｌ字形の断面形状をなし、その各端部が取っ手１の両端部に一体化される。その上端面１２は、前記の端面カバー部５の上端面よりフランジ４の端面の厚みｂ２だけ低い位置にあり（図２（ｄ）参照）、また該連結部２の前端面１３は取っ手１の前端面より前記端面カバー部５の厚みｂ１だけ内方に寄って形成される。上記の上端面１２に比べ、前記の水平指掛け面８の上面１４は、図２（ｃ）に示す寸法ｂ３だけ低い位置に形成される。
【００１８】
第１実施形態の取っ手は以上のようなものであり、常温においては全体の内径の大きさは、フランジ４の直下の鍋本体３外周面の外径より若干小さく形成され、例えば、外径２６０ｍｍの鍋に外嵌させる場合に、それより４ｍｍ小さい内径に形成される。従って、そのままでは外嵌させることはできないので、リング状の取っ手全体を加熱して柔軟化させるとともに、線膨張させて外嵌させる。この種の樹脂は一般に１０００分の１４から１６程度収縮することが知られているので、加熱して外嵌したのち常温まで冷却させると、収縮して鍋本体３の外径面に嵌着固定される。
【００１９】
上記の各取っ手１は、連結部２の上端面１２がフランジ４の下面に当接することにより上下方向の位置決めがされ（図２（ｄ）参照）、その位置決め状態で水平指掛け面８の上面１４とフランジ４の下面との間に前記の寸ｂ３の隙間１５が形成される（同図（ｃ）参照）。また、各取っ手１の端面カバー部５は，幅ｂ１、長さｃの切欠き７内に収まり、幅ａのフランジ４の外方に突き出すことはない。また、連結部２もフランジ４の外周面からｂ１だけ内方に寄っているので、この部分もフランジ４の外方に突き出すことはない。
【００２０】
また、上下方向について見ても、上記の位置決め状態で、端面カバー部５の上端面１２からの立上がり高さを前記フランジ４の厚みｂ２に一致させておくと、該端面カバー部５の上端面はフランジ４の上端面に一致する。
【００２１】
要するに取っ手１及び連結部２の全体がフランジ４の幅内に収まることになる。そして、水平指掛け面８においてはフランジ４との間に隙間１５が存在することにより断熱され、ここを安全に把持することができる。
【００２２】
なお、上記のように、取っ手１および連結部２をフランジ４の幅内に完全に収めることは、鍋本体３の小型化、更には炊飯器本体の小型化のために望ましいことであるが、これらの部分が若干フランジ４の外方へ突き出すことを排除するものではない。このことは以下の実施形態においても同じである。
【００２３】
次に、図３及び図４に基づき第２実施形態について説明する。この場合の左右一対の取っ手１、１は相互に独立しており、取付け金具１７と２本のビス１８により固定される。鍋本体３のフランジ４の外周縁に前述の場合と同様に幅ｂ１、長さｃの切欠き７が設けられる。上記の取付け金具１７は上記の切欠き７を設けた鍋本体３の外周面にスポット溶接により固定され、その両端部を屈曲により立ち上げ、ビス１８の螺入部１９が設けられる。
【００２４】
取っ手１は、前記の第１実施形態の場合と同様に、外端上縁に上方に突き出した端面カバー部５を有し、その下方の取っ手１の中央部において、その前面から内方に凹入した指掛け部６が設けられる。この指掛け部６は逆Ｌ字形の断面形状を有する（図４（ｄ）参照）。上記の端面カバー部５は前記の切欠き７に嵌合され（図４（ａ）参照）、該フランジ４の端面をカバーする。
【００２５】
上記の指掛け部６は、端面カバー部５の下端に連続した内向きの水平指掛け面８と、その指掛け面８の内端に下向きに設けられた指保護面９とからなる。また、取っ手１の背面側の下端に位置決め縁２２が設けられる。
【００２６】
上記の指掛け部６の両端部にビス１８の取付け凹所２１が設けられ、上記の位置決め縁２２を取付け金具１７の下端に係止させて上下方向の位置決めを行い、その取付け凹所２１から挿入したビス１８を取付け金具１７の螺入部１９に螺入し、取っ手１を該取付け金具１７に固定する。
【００２７】
上記の位置決め状態で、端面カバー部５は切欠き７内に収まり、フランジ４の外方及び上方に突き出すことがない。また水平指掛け面８の上面とフランジ４の下面との間に寸法ｂ３’の断熱用の隙間１５が形成される。
【００２８】
なお、図中２３はビス１８の飾りキャップである。
【００２９】
第２実施形態の取っ手は以上のようなものであり、取付け状態において取っ手１はフランジ４の幅内に収まる。また指掛け部６においてはフランジ４との間に隙間１５が存在することにより断熱作用が得られる。
【００３０】
次に、図５に示した第３実施形態の取っ手１は基本的には前述の第２実施形態のものと同様であるが、指掛け部６の両側に設けた取付け部２４、２４に磁石２５、２５を固着し、各磁石２５の上面をフランジ４の下面に吸着させることにより、取っ手１をフランジ４に固定するようにしたものである。指掛け部６が水平指掛け面８、指保護面９を有すること、磁石２５をフランジ４の下面に固着させた状態で、水平指掛け面８の上面とフランジ４の下面との間に大きさｂ３の断熱用の隙間１５が形成されること、端面カバー部５が切欠き７内に収まること、取っ手１がフランジ４の幅ａ内に収まることは前述の各実施形態と同じである。
【００３１】
【発明の効果】
以上のように、この発明の取っ手は、鍋のフランジの下方に隙間を介して指掛け部を設けるようにしたので、指掛け部がその隙間により断熱される。このため、指掛け部を外側方に突き出すことなくフランジの下方に設けることができ、取っ手を実質的にフランジの幅内に収めることができる。これにより、鍋の小型化、ひいては炊飯器本体の小型化を図ることができる。
【００３２】
また、上記の取っ手を固定する手段として、熱収縮によるもの、取付け金具を介して鍋外周面に固定するもの、磁石を用いてフランジの下面に固着するもののいずれの場合も、フランジの幅は必要最小限に形成することができ、フランジの下面にビスで固定する場合に比べ、その幅を狭く形成することができ、この点からも鍋の小型化、炊飯器本体の小型化に貢献することができる。
【図面の簡単な説明】
【図１】（ａ）第１実施形態の取っ手の平面図
（ｂ）同上の一部分解斜視図
【図２】（ａ）同上の一部平面図
（ｂ）同上の一部正面図
（ｃ）（ｂ）図のＡ−Ａ線の拡大断面図
（ｄ）（ｂ）図のＢ−Ｂ線の拡大断面図
【図３】（ａ）第２実施例の一部分解斜視図
（ｂ）同上の取っ手の背面側の斜視図
【図４】（ａ）同上の一部平面図
（ｂ）同上の一部正面図
（ｃ）（ｂ）図のＡ−Ａ線の拡大断面図
（ｄ）（ｂ）図のＢ−Ｂ線の拡大断面図
【図５】（ａ）同上の一部平面図
（ｂ）同上の一部正面図
（ｃ）（ｂ）図のＡ−Ａ線の拡大断面図
【図６】（ａ）従来例の平面図
（ｂ）同上のＢ−Ｂ線の拡大断面図
【符号の説明】
１  取っ手
２  連結部
３  鍋本体
４  フランジ
５  端面カバー部
６  指掛け部
７  切欠き
８  水平指掛け面
９  指保護面
１１  滑り止め用リブ
１２  上端面
１３  前端面
１４  上面
１５  隙間
１７  取付け金具
１８  ビス
１９  螺入部
２１  取付け凹所
２２  位置決め縁
２３  飾りキャップ
２４  取付け部
２５  磁石
【図１】
0003592610.tif 000002
【図２】
0003592610.tif 000003
【図３】
0003592610.tif 000004
【図４】
0003592610.tif 000005
【図５】
0003592610.tif 000006
【図６】
0003592610.tif 000007